【手続補正書】
【提出日】平成29年5月30日(2017.5.30)
【手続補正１】
【補正対象書類名】特許請求の範囲
【補正対象項目名】全文
【補正方法】変更
【補正の内容】
【特許請求の範囲】
【請求項１】
コア粒子と被覆樹脂とを含むキャリア、および、
表面添加剤を含むトナー、を含む、
現像剤であって、
前記被覆樹脂が、１つ以上のアクリラートモノマーユニットを含み、少なくとも１つのモノマーユニットが、炭素が場合によりメチル基により置換され、前記炭素がエステル基により置換されるビニル基を含み、前記エステル基が芳香族性電子非局在化基を含み、前記芳香族性電子非局在化基はチオピラニル基を含み
前記被覆樹脂が最高被占分子軌道を有し、前記表面添加剤が最低空分子軌道を有する、
現像剤。
【請求項２】
前記ビニル基が、メタクリラート基を構成する、請求項１に記載の現像剤。
【請求項３】
前記１つ以上のアクリラートモノマーユニットが、下記の式を有するモノマーユニット
【化１】
2015000981.tif 000001
（式中、Ａｒは前記芳香族の電子非局在化基を含む）
またはその異性体を含む、請求項１に記載の現像剤。
【請求項４】
前記被覆樹脂が、８０℃〜１４０℃の間のＴｇを有する、請求項１に記載の現像剤。
【請求項５】
前記少なくとも１つまたはそれ以上のアクリラートモノマーユニットが、少なくとも３のＣ／Ｏ比を含む、請求項１に記載の現像剤。
【請求項６】
前記被覆樹脂が、導電性物質をさらに含む、請求項１に記載の現像剤。
【請求項７】
前記被覆樹脂が、黒色着色剤をさらに含む、請求項１に記載の現像剤。
【請求項８】
前記被覆樹脂が、アミンアクリラートモノマーユニットをさらに含む、請求項１に記載の現像剤。
【請求項９】
前記被覆樹脂が、ジメチルアミノエチルメタクリラートをさらに含む、請求項８に記載の現像剤。
【請求項１０】
前記被覆樹脂が、ジメチルアミノエチルメタクリラート、ジエチルアミノエチルメタクリラート、ジイソプロピルアミノエチルメタクリラート、ｔ−ブチルアミノエチルメタクリラートおよびシクロヘキシルメタクリラートから選択されるモノマーをさらに含むコポリマーである、請求項１に記載の現像剤。
【請求項１１】
前記トナーが、シェルを含む、請求項１に記載の現像剤。
【請求項１２】
前記トナーが、少なくとも１種のポリエステル樹脂を含む、請求項１に記載の現像剤。
【請求項１３】
前記トナーが、非晶性樹脂、結晶性樹脂またはその両者を含む、請求項１に記載の現像剤。
【請求項１４】
前記トナーが、乳化凝集トナーを含む、請求項１に記載の現像剤。
【手続補正２】
【補正対象書類名】明細書
【補正対象項目名】発明の名称
【補正方法】変更
【補正の内容】
【発明の名称】現像剤
【手続補正３】
【補正対象書類名】明細書
【補正対象項目名】０００１
【補正方法】変更
【補正の内容】
【０００１】
本開示は一般にはキャリア樹脂に関連し、具体的には、エステル基を有する少なくとも１つのモノマーを有し、エステル基が電子非局在化芳香族基を含むキャリア被覆樹脂であって、改善されたＲＨ感受性と、大きい調節可能な電荷とを示すキャリア被覆樹脂に関連する。
【手続補正４】
【補正対象書類名】明細書
【補正対象項目名】０００４
【補正方法】変更
【補正の内容】
【０００４】
本開示は、ビニル基を含む少なくとも１つのモノマーを含むキャリア樹脂であって、ビニル基の炭素をメチル基により置換することができ、かつ、炭素はまた、エステル基により置換することができ、エステル基は電子非局在化芳香族基を含むキャリア樹脂を記載する。芳香族基は、１つ以上の炭素原子が、例えば、Ｓ、ＮまたはＯにより置換される複素環である場合がある。様々な実施形態において、芳香族基は１つ以上の置換基を含み、例えば、アミン、ヒドロキシル、チオール、ハロゲン、および、Ｃ１〜Ｃ１０に由来するアルコキシなどを含む。様々な実施形態において、ビニル基はアクリラートモノマーを構成する。様々な実施形態において、アクリラートはメタクリラートモノマーである。上記樹脂は、改善されたＲＨ感受性を明らかにし、かつ、電荷を最大化するために調節可能である。本開示は、目的とする樹脂を含むキャリア、および、被覆キャリアを含む現像剤に関連する。
【手続補正５】
【補正対象書類名】明細書
【補正対象項目名】０００５
【補正方法】変更
【補正の内容】
【０００５】
１つ以上のモノマーユニットを含み、少なくとも１つのモノマーユニットが下記の式またはその異性体を含むキャリア被覆樹脂が開示される。
【化１】
2015000981.tif 000002
式中、Ａｒは、少なくとも１つの芳香族基を含む電子非局在化基を含み、ただし、芳香族基は複素環であってよく、または、置換されてよく、または、両方であってもよい。
【手続補正６】
【補正対象書類名】明細書
【補正対象項目名】０００８
【補正方法】変更
【補正の内容】
【０００８】
１つ以上のモノマーユニットを含むキャリア被覆樹脂が開示され、ただし、この場合、モノマーユニットの少なくとも１つがビニル基を含み、ビニル基の１つの炭素をメチル基により置換することができ、かつ、ビニル基のその同じ炭素原子をエステル基により置換することができ、エステルは、少なくとも１つの芳香族環を含む電子非局在化基を含み、芳香族環は、多数の環、縮合環などを含むことができ、芳香族環は複素環が可能であり、かつ、芳香族環は置換されることが可能であり、モノマーは、少なくとも３、少なくとも４、少なくとも５またはそれ以上の炭素：酸素（Ｃ／Ｏ）比を有する。そのような芳香族電子非局在化基の例には、フェニル基、ベンジル基、チオピラニル基、ピリジニル基、ナフチル基およびピラニル基などが含まれる。
【手続補正７】
【補正対象書類名】明細書
【補正対象項目名】００１２
【補正方法】変更
【補正の内容】
【００１２】
芳香族の電子非局在化基を含むエステル基を含む少なくとも１つのビニルモノマーから構成されるポリマー被覆樹脂を含むキャリア組成物であって、モノマーが、少なくとも約３、少なくとも約４、少なくとも約５またはそれ以上の炭素：酸素（Ｃ／Ｏ）比を有するキャリア組成物が開示される。
【手続補正８】
【補正対象書類名】明細書
【補正対象項目名】００１７
【補正方法】変更
【補正の内容】
【００１７】
エステル含有モノマーは芳香族の電子非局在化基を含み、この場合、このモノマーは、単環化合物、多重環化合物、多環式化合物、縮合環化合物および大環状化合物などを含む。１つの環または少なくとも１つの環が複素環であることが可能であり、ただし、この場合、その炭素原子の１つまたは複数が、例えば、Ｎ、Ｓ、Ｓｉ、Ｂ、ＰおよびＯなどによって置換される。電子非局在化基には、フェニル基、ベンジル基、チオピラニル基、ピリジニル基およびピラニル基などが含まれるが、これらに限定されない。
【手続補正９】
【補正対象書類名】明細書
【補正対象項目名】００２２
【補正方法】変更
【補正の内容】
【００２２】
少なくとも１つのエステル基を含む少なくとも１つモノマーを含む樹脂を含み、エステルが電子非局在化芳香族基を含む被覆されたキャリアと、ラテックス樹脂、必要に応じて使用される着色剤、必要に応じて使用されるワックスおよび必要に応じて使用されるポリマーシェルを含む、乳化凝集トナーである場合があるトナーとを含む現像剤が開示される。
【手続補正１０】
【補正対象書類名】明細書
【補正対象項目名】００７５
【補正方法】変更
【補正の内容】
【００７５】
本ポリマー樹脂の疎水性置換基への電子密度移動を定量的に分析するために、Ｍｕｌｌｉｋｅｎ分配を使用する特定の分子軌道（ＭＯ）へのそれぞれの原子軌道（ＡＯ）の％寄与を、ＤＭｏｌ３モジュールを用いて計算した。その後、それぞれの新規なポリマー樹脂のＨＯＭＯに対する疎水性部分におけるＡＯの寄与を、種々の疎水性置換基における電子密度非局在化を比較するために組み込んだ。他のヘテロ原子および結合した炭素原子が親水性であるように、ＣＯＯが親水性であり、他のすべての炭素原子が疎水性であるメタクリラート樹脂の親水性部分および疎水性部分を区別した。
【手続補正１１】
【補正対象書類名】明細書
【補正対象項目名】００８７
【補正方法】変更
【補正の内容】
【００８７】
比較例（ＭＭＡ）については、カルボニル酸素が、非常に極性であり、かつ、高いＲＨにおいて水を引き寄せるカルボニル酸素原子に大部分が位置するＨＯＭＯフロンティア分子軌道を有している。その帯電部位が、負電荷をトナーのシリカ添加剤アクセプター部位に与える電子移動部位である。したがって、高いＲＨでの水吸着は、（ＨＯＭＯ荷電部位を物理的に阻止することによって、または、ＨＯＭＯを実際に妨げることによってそのどちらでも）電荷移動を妨げることになる。表１に示されるように、ＨＯＭＯ電子密度のほんの１６％が、ＭＭＡについては疎水性炭素に存在するだけである。ＣＨＭＡについては、より大きいＣ／Ｏ比を有するので、疎水性置換基への、すなわち、シクロヘキシル基へのカルボニル酸素からのＨＯＭＯの非局在化が２１％に増大している。ＤＭＡＥＭＡでは、ＨＯＭＯの非局在化が、再度ではあるが、より大きいＣ／Ｏ比に起因して、２４％と類似している。
【手続補正１２】
【補正対象書類名】明細書
【補正対象項目名】００８８
【補正方法】変更
【補正の内容】
【００８８】
本開示の実施例、すなわち、ＰｈＭＡ、ＢＭＡ、チオピラニルＭＡおよびピラニルＭＡは、分子の疎水性部分へのＨＯＭＯのより大きい非局在化を明らかにしている。この傾向がＰｈＭＡについては最大となっており、この場合、密度の８４％が疎水性置換基に存在する。ピリジニルＭＡを除いて、芳香族基を有するすべてのサンプルが、少なくとも４３％の非局在化を示す。ピラニルＭＡについての３というより低いＣ／Ｏ比の場合においてさえ、疎水性炭素におけるＨＯＭＯの電子密度が（６５％と）大きく、このことから、帯電部位が疎水性であるので、良好なＲＨ性能が予測される。ピラニルＭＡは、最も大きい電子密度をＮ原子および結合した炭素において有しており、したがって、電子非局在化のために好ましくなく、だが、ピラニルＭＡは大きいＣ／Ｏ比を有しており、したがって、高いＲＨでの全体的な水吸着がより良好となるであろう。